(57)【要約】【課題】  カウンターを座るためのベンチとして使用できる浴室のベンチ構造を提供すること。【解決手段】  浴室ＢＲ内の右壁面パネル１５に沿って浴槽１４とカウンター部１６とを設置し、カウンター部１６の上面における浴槽１４側に、カウンター部１６から天井板部１９に延びるポール２１を設置した。そして、ポール２１内に給水流路を設け、ポール２１に水栓２２を浴槽１４側とカウンター部１６側とに回転可能な状態で設けた。また、ポール２１の下部側部分にシャワーホース２４とシャワーヘッド２５とからなるシャワー装置を設け、ポール２１の上端側部分にレインシャワー２６を設けた。さらに、カウンター部１６の内部に暖房装置を設け、カウンター部１６の前面における下部側部分に蒸気を吐出するための吐出孔２７を設けた。また、ポール２１に円形テーブル２３を取り付けた。【選択図】  図１
2006239069.tif 000002
【特許請求の範囲】
【請求項１】
浴室内の一壁面に沿って浴槽と並べて設置される浴室のベンチ構造であって、前記一壁面に背中をもたれて座ることが可能なカウンター部と、前記カウンター部の上面における前記一壁面から所定距離離れた位置から前記浴室の天井部側に向かって延びる管状のポールを備え、前記ポールの内部に給水流路を設けるとともに、前記ポールに前記給水流路から供給される湯水を吐出可能な水栓を設けたことを特徴とする浴室のベンチ構造。
【請求項２】
前記ポールを前記カウンター部の上面における浴槽側部分に設けるとともに、前記水栓を前記浴槽側と前記カウンター部側とに回転可能にした状態で設け、前記水栓から浴槽内及びカウンター部の双方に湯水を吐出可能とした請求項１に記載の浴室のベンチ構造。
【請求項３】
前記ポールの所定部分に前記給水流路から供給される湯水をシャワー状に吐出可能なシャワー装置を設けた請求項１または２に記載の浴室のベンチ構造。
【請求項４】
前記一壁面における前記カウンター部の上部側部分に、シャワー状の湯水を吐出するための複数の小孔を備えた壁面シャワー装置を設けた請求項１ないし３のうちのいずれか一つに記載の浴室のベンチ構造。
【請求項５】
前記カウンター部の内部又は下方に暖房装置を設けた請求項１ないし４のうちのいずれか一つに記載の浴室のベンチ構造。
【発明の詳細な説明】
【技術分野】
【０００１】
本発明は、浴室内に浴槽と並んで設けられる浴室のベンチ構造に関する。
【背景技術】
【０００２】
従来から、一般に、浴室内には、浴槽に隣接してカウンターが設けられており、このカウンターは、石鹸やシャンプー等を置いておく台として利用されたり、体を洗ったりする際に洗面器等を乗せたりして利用されている。また、このようなカウンターの上面から上方に向けて給水管を兼ねたポールを延ばし、その先端にシャワー装置を取り付けた浴室もある（例えば、特許文献１参照）。このポールの内部には、シャワー装置に供給する湯や水を流すための配管が挿通されており、その先端部にシャワーホースを介してシャワーヘッドが取り付けられている。また、このポールは、入浴者が浴槽に出入りする際に、手摺としても使用される。
【特許文献１】特開２００３−９３２５９号公報
【発明の開示】
【０００３】
最近の浴室は、単に、体を洗ったり洗髪したりするための場所としての使用に留まらず、くつろいで、リラックスするために使用できる場所としての機能や性能等が求められてきており、浴室内に蒸気等を充満させてサウナとして使用したり、専用の浴槽を利用してゆっくりと半身浴を楽しんだり、或いは音楽やテレビを楽しんだりと、比較的長い時間、ゆったりと快適に過ごすことができる浴室が好まれるようになってきている。しかしながら、前述した従来の浴室では、半身浴用の浴槽内でゆっくりとくつろぐことはできるものの、その他で、入浴者がくつろぐために座れる場所は、浴槽の縁部と、カウンターの前に設置される小型の椅子程度に限られてしまう。その上、浴槽の縁部では、安定した姿勢で座ることができず、椅子では、小さすぎて十分にくつろぐことができない。
【０００４】
また、双方とも背もたれがないためゆったりとした楽な姿勢で座ることができない。例えば、従来のカウンターは、座ることができる程度の大きさを備えており、カウンターの上方には背もたれとして使用できる壁面もあるが、この壁面には水栓等の突起物が取り付けられているため、このカウンターをくつろぐための椅子として使用することは困難である。
【０００５】
本発明は、前述した問題に対処するためになされたもので、その目的は、入浴者がくつろいで座ることができる浴室のベンチ構造を提供することである。
【０００６】
前述した目的を達成するため、本発明に係る浴室のベンチ構造の構成上の特徴は、浴室内の一壁面に沿って浴槽と並べて設置される浴室のベンチ構造であって、一壁面に背中をもたれて座ることが可能なカウンター部と、カウンター部の上面における一壁面から所定距離離れた位置から浴室の天井部側に向かって延びる管状のポールを備え、ポールの内部に給水流路を設けるとともに、ポールに給水流路から供給される湯水を吐出可能な水栓を設けたことにある。
【０００７】
このように構成した本発明に係る浴室のベンチ構造では、カウンター部を従来のカウンターと同じ様に使うことができるとともに、カウンター部の上面における一壁面から所定距離離れた位置から浴室の天井部側に向かって延びる管状のポールに水栓が設けられているため一壁面に突出するものが無くなり、一壁面に背中をもたれてゆったりとカウンター部に座ることができる。なお、この場合のポールの上下方向の長さは、適宜設定することができ、カウンターと天井部とに連結させて長く延ばしてもよいし、水栓の取り付け位置に応じて低く設定してもよい。
【０００８】
また、本発明に係る浴室のベンチ構造の他の構成上の特徴は、ポールをカウンター部の上面における浴槽側部分に設けるとともに、水栓を浴槽側とカウンター部側とに回転可能にした状態で設け、水栓から浴槽内及びカウンター部の双方に湯水を吐出可能としたことにある。これによれば、一つの水栓により浴槽内に湯水を供給することができるとともに、カウンター部で体を洗ったりするのに用いる湯水を供給することができる。
【０００９】
本発明に係る浴室のベンチ構造のさらに他の構成上の特徴は、ポールの所定部分に給水流路から供給される湯水をシャワー状に吐出可能なシャワー装置を設けたことにある。これによると、給水流路に水栓に送るための湯水を通すだけでなく、シャワー装置に送るための湯水も通すことができ、各配管が一体化されて構造が簡単になる。また、美観も増すようになる。この場合のシャワー装置としては、例えば、ポールにおける水栓の上部側部分に接続されたホースとシャワーヘッドを備えたシャワー装置でもよいし、天井部まで延びるポールの上端側に接続されたレインシャワーで構成して湯水が上方から散布されるようにしてもよい。また、その双方のシャワー装置をポールに設けてもよい。この場合、ポールの高さは、シャワー装置の設置位置に応じて設定することができる。
【００１０】
本発明に係る浴室のベンチ構造のさらに他の構成上の特徴は、一壁面におけるカウンター部の上部側部分に、シャワー状の湯水を吐出するための複数の小孔を備えた壁面シャワー装置を設けたことにある。これによると、カウンター部に座った状態で壁面シャワー装置を作動させることにより、背中にシャワー状の湯水を浴びせることができる。この結果、カウンター部に座ってくつろげるとともに、マッサージ効果も発揮できる。また、この壁面シャワー装置の小孔は、所定間隔を保って設けて、全体の面積が大人の背中と腰部の合計面積程度になるように設定することが好ましい。
【００１１】
本発明に係る浴室のベンチ構造のさらに他の構成上の特徴は、カウンター部の内部又は下方に暖房装置を設けたことにある。これによると、カウンター部に座った状態で蒸気や温風を発生させる暖房装置を作動させることにより、足元に蒸気等を漂わせることができ、入浴者は、さらにくつろいだ気分になるとともに、マッサージ効果を得ることができる。また、蒸気等を浴室内に充満させることにより、さらにリラックスした気分を満喫できる。
【００１２】
なお、ポールに平面板状のテーブル等を取り付けても良い。これによると、テーブルの上面に飲み物やラジオ等のくつろぐために使用する物を置くことができる。このため、カウンター部に座った状態で飲食したり音楽等を聴いたりしてくつろぐことができる。また、この場合、テーブルが、ポールの軸回り方向に回転可能になるようにして、テーブルの縁部をポールに取り付けることもできる。
【発明を実施するための最良の形態】
【００１３】
以下、本発明の一実施形態を図面を用いて説明する。図１は、同実施形態に係るベンチ構造１０を備えた浴室ＢＲを示している。この浴室ＢＲでは、屋外側の壁面部１１の中央部に縦長四角形の窓１２が設けられており、窓１２側部分に浴槽１４が壁面部１１に沿って設置されている。この浴槽１４の左右の側面部は、左壁面パネル（図示せず）または右壁面パネル１５の下部側部分に沿って浴室ＢＲの中央側に延びている。そして、浴槽１４の手前側における右壁面パネル１５に沿った部分にカウンター部１６が設けられている。
【００１４】
また、壁面部１５ａの上端部には、カウンター部１６に対向するように天井板部１９が形成されている。そして、カウンター部１６の上面における浴槽１４側の角部（壁面部１５ａから所定距離離れた角部）近傍部分から上方に向かってポール２１が延び、その先端部が、天井板部１９の下面に固定されている。このポール２１の内部には、下側から上側に向う給水流路としての配管が挿通されており、この配管は、カウンター部１６の内部に設置された給水給湯管（図示せず）に連結されている。
【００１５】
また、ポール２１の上端部は閉塞されており、ポール２１の下部側部分には、水栓２２がポール２１の軸回り方向に回転可能な状態で取り付けられている。この水栓２２の先端部には湯水を吐出するための吐出口２２ａが設けられており、水栓２２を浴槽１４側に回転させたときに、図２に示したように、吐出口２２ａから吐出される湯水が浴槽１４内に入るように水栓２２は配置されている。また、水栓２２をカウンター部１６側に回転させたときには、図３に示したように、吐出口２２ａはカウンター部１６の上面に向くようになる。このため、水栓２２の吐出口２２ａから吐出される湯水は、例えば、カウンター部１６上に置かれた洗面器の中に入る。
【００１６】
また、ポール２１における水栓２２の上部側部分には、ガラス製の円形テーブル２３が壁面部１５ａ側に向けて取り付けられている。この円形テーブル２３の上には、飲み物やラジオ、その他、入浴者Ａ（図４参照）がくつろぐために使用するものを置くことができる。さらに、ポール２１における円形テーブル２３の上部側部分には、長さの短い分岐管２１ａが浴槽１４に平行するように水平方向に延び、その中央下部にシャワーホース２４が連結されている。
【００１７】
分岐管２１ａの先端部には、リング状の一部を取り除いた形状（フック状）の把持部２４ａが形成されており、この把持部２４ａに、シャワーホース２４の先端に取り付けられたシャワーヘッド２５が着脱可能に取り付けられている。そして、ポール２１における上端部の近傍部分から分岐管２１ｂが浴室ＢＲの中央側に向って延びている。この分岐管２１ｂの先端部には、円板状のレインシャワー２６の上面中央部が連結されて、ポール２１内の配管を介して送られてくる湯水を床面１３に向って散水できるようになっている。また、ポール２１の略中央部には、ＬＥＤ照明具２８が向きを変更可能な状態で取り付けられている。これによって、入浴者がカウンター部１６に座ったり、浴槽１４内で半身浴をしたりしながら読書をすることができる。
【００１８】
また、カウンター部１６の内部には蒸気や温風を発生させるための暖房装置（図示せず）が設けられており、カウンター部１６の前面下部には、暖房装置が発生する蒸気等を浴室ＢＲ内に吐出するための吐出孔２７が設けられている。また、図示していないが、本実施形態に係るベンチ構造１０は、給水管から送られてくる湯水を水栓２２、シャワーホース２４およびレインシャワー２６のいずれに送るかを切替えるための切替装置、暖房装置の作動を操作するための操作装置およびそれらの装置から吐出される湯水や蒸気等の温度を設定をするための温度設定装置等を備えている。
【００１９】
この構成において、浴槽１４内に湯を入れて入浴する場合には、図２に示したように、水栓２２を浴槽１４側に向けた状態で、切替装置や温度設定装置を操作して、浴槽１４内に所定温度の湯を入れる。また、カウンター部１６の前で体を洗ったりする場合には、図３に示したように、水栓２２を回転させてカウンター部１６の上面に向ける。そして、カウンター部１６の前に椅子を置くとともに、カウンター部１６の上面に洗面器を置いて、入浴者Ａは、椅子に座り、水栓２２から洗面器内に湯水を取り込んで体を洗ったりする。
【００２０】
また、シャワーホース２４とシャワーヘッド２５とからなるシャワー装置を使用する場合には、切替装置を操作して放水口を水栓２２からシャワー装置に切り替えて、シャワーヘッド２５から湯水を吐出させる。この場合、入浴者Ａは、シャワーヘッド２５を手で持って把持部２４ａから外し、椅子に座った状態でシャワー装置を使用することができる。さらに、レインシャワー２６を使用する場合には、シャワーヘッド２５を把持部２４ａに取り付けるとともに、切替装置を操作して放出口をシャワー装置からレインシャワー２６に切り替えて、レインシャワー２６から湯水を吐出させる。この場合、入浴者Ａは、床面１３上に立った状態でレインシャワー２６から吐出されるシャワー水を浴びる。
【００２１】
また、例えば、浴室ＢＲ内でくつろぐ場合には、図４に示したように、水栓２２を浴槽１４側に位置させたままにするとともに、シャワーヘッド２５を把持部２４ａに取り付けたままの状態にして、図４に示したように、入浴者Ａは、カウンター部１６上に座る。この場合、入浴者Ａは、背中を壁面部１５ａにもたれた状態でゆったりとした姿勢を維持することができる。また、このとき、円形テーブル２３上に飲み物やラジオ等を置いて飲み物を飲みながらラジオ放送を聞く等してリラックスすることもできる。
【００２２】
さらに、サウナ浴を行う場合には、操作装置を操作して、暖房装置を作動させる。これによって、吐出孔２７から蒸気等が吐出されて、入浴者Ａの足元に当たり、さらにリラックスした気分になる。また、蒸気等を浴室ＢＲ内に充満させることにより、肉体的および精神的な疲労回復が可能になり、心身ともにリラックスできる。また、ＬＥＤ照明具２８を点灯させてその向きを変えることによって、カウンター部１６に座ったり、浴槽１４内で半身浴をしたりしながら読書をすることができる。
【００２３】
このように、本実施形態に係るベンチ構造１０では、浴槽１４と並んでカウンター部１６を設置するとともに、カウンター部１６における浴槽１４側部分から天井板部１９に向けて、内部に給水流路が形成されたポール２１を設けている。そして、このポール２１に、浴槽１４側とカウンター部１６側との間で回転可能になった水栓２２を設けている。したがって、水栓２２から吐出される湯水を浴槽１４とカウンター部１６との双方で使用することができる。また、浴室ＢＲ内でくつろぐときには、水栓２２を浴槽１４側に回転させることによりカウンター部１６をベンチとして使用できる。
【００２４】
その際、壁面部１５ａを背もたれとして利用することができるため、楽な姿勢を維持できる。さらに、ポール２１の下部側部分には、シャワーホース２４とシャワーヘッド２５とからなるシャワー装置が設けられ、ポール２１の上端部側には、レインシャワー２６が設けられている。そして、シャワー装置やレインシャワー２６に湯水を送るための配管もポール２１内に挿通されている。このため、各配管が一体化されて構成され配管構造が簡単になる。また、各給水流路が１本のポール２１内に収まるため、美観も増すようになる。さらに、ポール２１に円形テーブル２３を設けたため、浴室ＢＲ内に飲料物や趣味的な物を持ち込むことができる。
【００２５】
図５は、本発明の他の実施形態に係るベンチ構造３０を示している。このベンチ構造３０では、壁面部３５ａの下部側部分における幅方向の中央側部分に壁面シャワー３８が設けられている。この壁面シャワー３８は、壁面部３５ａに所定間隔を保って形成された複数の小孔３８ａと、壁面部３５ａの裏面側に設けられ小孔３８ａから壁面部３５ａの表面側に湯水を吐出させるための給水管（図示せず）とを備えている。また、この給水管にも、所定温度の湯や水が、外部に設けられた給水装置や給湯装置から供給される。このベンチ構造３０のそれ以外の部分の構成については、前述した実施形態のベンチ構造１０と同一である。したがって、同一部分に同一符号を記して説明は省略する。
【００２６】
ベンチ構造３０をこのように構成したため、入浴者Ａは、カウンター部１６に座った状態で壁面シャワー３８を作動させることにより、背中にシャワー水を浴びることができる。この結果、カウンター部１６に座ってくつろげるとともに、シャワー水によるマッサージ効果も得ることができる。このベンチ構造３０のそれ以外の作用効果については、前述した実施形態のベンチ構造１０と同一である。
【００２７】
また、本発明は、前述した各実施形態に限定するものでなく、適宜変更して実施することができる。例えば、前述した実施形態では、ポール２１をカウンター部１６から天井板部１９まで延ばして、ポール２１の下部側部分にシャワーホース２４等からなるシャワー装置を設けるとともに、ポール２１の上端側部分にレインシャワー２６を設けているが、これらのシャワー装置は、省略することができる。また、これらのシャワー装置の一方だけを設けることもできる。双方のシャワー装置を省略する場合には、ポール２１の高さを水栓２２の設置位置に合わせて設定することができる。また、シャワーホース２４等からなるシャワー装置だけを設ける場合には、ポール２１の高さをそのシャワー装置の設置位置に合わせて設定することができる。
【００２８】
さらに、前述した実施形態では、カウンター部１６を断面Ｌ字状にして前面側を閉塞した構成としているが、板状のカウンター部をポール状等の脚部で所定高さ位置に支持する構成としたり、入浴者が座ることができる程度の強度を確保できる限り壁面部１５ａに板状のカウンター部を所定高さ位置に取り付ける構成としたりすることもできる。また、前述した実施形態では、円形テーブル２３をポール２１に固定した状態で取り付けているが、この円形テーブル２３は、ポール２１の軸回り方向に回転可能な状態で取り付けることもできる。これによると、円形テーブル２３を浴槽１４側に回転させることにより、入浴者Ａが浴槽１４内に入っているときにも、円形テーブル２３上に置いた物を飲食したり使用したりすることができる。さらに、壁面部１５ａに入浴者がもたれ易いような背もたれ部を形成しても良く、入浴者がもたれる際に邪魔にならない位置に鏡や棚等を設けてもよい。また、それ以外の部分の構成についても本発明の技術的範囲内で変更することができる。
【図面の簡単な説明】
【００２９】
【図１】本発明の一実施形態によるベンチ構造を備えた浴室を示した斜視図である。
【図２】水栓を浴槽側に向けた状態を示した平面図である。
【図３】水栓をカウンター側に向けた状態を示した平面図である。
【図４】入浴者がカウンターに座った状態を示した正面図である。
【図５】本発明の他の実施形態によるベンチ構造を示した正面図である。
【符号の説明】
【００３０】
１０，３０…ベンチ構造、１４…浴槽、１５…右壁面パネル、１５ａ，３５ａ…壁面部、１６…カウンター部、１９…天井板部、２１…ポール、２２…水栓、２３…円形テーブル、２４…シャワーホース、２５…シャワーヘッド、２６…レインシャワー、２７…吐出孔、３８…壁面シャワー、３８ａ…小孔、ＢＲ…浴室。
【図１】
2006239069.tif 000003
【図２】
2006239069.tif 000004
【図３】
2006239069.tif 000005
【図４】
2006239069.tif 000006
【図５】
2006239069.tif 000007